(57)【特許請求の範囲】
【請求項１】
通信データを変調して電波を送信する基地局と、線路の上り線側に布設され、上記基地局から送信された電波を搬送する上り線側漏洩同軸ケーブルと、線路の下り線側に布設され、上記基地局から送信された電波を搬送する下り線側漏洩同軸ケーブルと、線路の片側に設置され、上記上り線側漏洩同軸ケーブルにより搬送された電波を増幅して、増幅後の電波を上記下り線側漏洩同軸ケーブルに出力するとともに、上記下り線側漏洩同軸ケーブルにより搬送された電波を増幅して、増幅後の電波を上記上り線側漏洩同軸ケーブルに出力する複数の中継機と、上記上り線側漏洩同軸ケーブルと上記下り線側漏洩同軸ケーブルから漏れ出る電波をダイバーシティ受信する移動局とを備えた無線通信システム。
【請求項２】
通信データを変調して電波を発信する移動局と、線路の上り線側に布設され、上記移動局から発信された電波を搬送する上り線側漏洩同軸ケーブルと、線路の下り線側に布設され、上記移動局から発信された電波を搬送する下り線側漏洩同軸ケーブルと、線路の片側に設置され、上記上り線側漏洩同軸ケーブルにより搬送された電波を増幅して、増幅後の電波を上記下り線側漏洩同軸ケーブルに出力するとともに、上記下り線側漏洩同軸ケーブルにより搬送された電波を増幅して、増幅後の電波を上記上り線側漏洩同軸ケーブルに出力する複数の中継機と、上記上り線側漏洩同軸ケーブルと上記下り線側漏洩同軸ケーブルにより搬送された電波をダイバーシティ受信する基地局とを備えた無線通信システム
【請求項３】
複数の中継機のうち、一部の中継機のみが漏洩同軸ケーブルの接続対象が入れ換えられて、上り線側漏洩同軸ケーブルにより搬送された電波を増幅して、増幅後の電波を下り線側漏洩同軸ケーブルに出力するとともに、下り線側漏洩同軸ケーブルにより搬送された電波を増幅して、増幅後の電波を上り線側漏洩同軸ケーブルに出力し、残りの中継機は上り線側漏洩同軸ケーブルにより搬送された電波を増幅して、増幅後の電波を上り線側漏洩同軸ケーブルに出力するとともに、下り線側漏洩同軸ケーブルにより搬送された電波を増幅して、増幅後の電波を下り線側漏洩同軸ケーブルに出力することを特徴とする請求項１または請求項２記載の無線通信システム。
【発明の詳細な説明】
【０００１】
【発明の属する技術分野】
この発明は、電波をダイバーシティ受信する無線通信システムに関するものである。
【０００２】
【従来の技術】
図２は従来の無線通信システムを示す構成図であり、図において、１は線路の両側に布設され、基地局２の送信電波及び移動局３の送信電波を搬送する漏洩同軸ケーブル（以下、ＬＣＸという）、２は通信データを変調して電波をＬＣＸ１に出力する一方、ＬＣＸ１により搬送された電波をダイバーシティ受信する基地局、３は新幹線車両に搭載され、通信データを変調して電波をＬＣＸ１に向けて発信するとともに、ＬＣＸ１から漏れ出た電波をダイバーシティ受信する移動局、４はＬＣＸ１が搬送する電波を増幅する中継機である。
【０００３】
次に動作について説明する。
まず、基地局２が移動局３にデータや音声に係る情報（以下、通信データという）を送信する場合、基地局２は、その通信データを変調して電波をＬＣＸ１に出力する。
これにより、上り線のＬＣＸ１と下り線のＬＣＸ１が基地局２の送信電波をそれぞれ中継機４まで搬送する。
【０００４】
中継機４は、ルート別中継方式を採用しているので、上り線のＬＣＸ１により搬送された基地局２の送信電波を増幅して、上り線のＬＣＸ１に出力し、下り線のＬＣＸ１により搬送された基地局２の送信電波を増幅して、下り線のＬＣＸ１に出力する。
移動局３は、上り線のＬＣＸ１から漏れ出た電波と、下り線のＬＣＸ１から漏れ出た電波をダイバーシティ受信して、通信データを復調する。
【０００５】
次に、移動局３が基地局２に通信データを送信する場合、移動局３は、その通信データを変調して電波をＬＣＸ１に向けて発信する。
これにより、上り線のＬＣＸ１と下り線のＬＣＸ１が移動局３の送信電波をそれぞれ中継機４まで搬送する。
【０００６】
中継機４は、ルート別中継方式を採用しているので、上り線のＬＣＸ１により搬送された移動局３の送信電波を増幅して、上り線のＬＣＸ１に出力し、下り線のＬＣＸ１により搬送された移動局３の送信電波を増幅して、下り線のＬＣＸ１に出力する。
基地局２は、上り線のＬＣＸ１により搬送された電波と、下り線のＬＣＸ１により搬送された電波をダイバーシティ受信して、通信データを復調する。
【０００７】
【発明が解決しようとする課題】
従来の無線通信システムは以上のように構成されているので、基地局２及び移動局３がダイバーシティ受信を実施することができるが、通常、中継機４は線路の片側に設置されるため、上り線のＬＣＸ１の長さと下り線のＬＣＸ１の長さに相違が生じる（図２の例では、下り線側に中継機４が設置されているため、上り線のＬＣＸ１が下り線のＬＣＸ１より長くなっている）。そのため、電波の到着時間に相違が生じて、ダイバーシティ受信後のビットエラーが頻発し、ダイバーシティ受信による伝送品質の改善を図ることができない課題があった。
【０００８】
この発明は上記のような課題を解決するためになされたもので、電波の遅延差を少なくして、ダイバーシティ受信後のビットエラーを抑制することができる無線通信システムを得ることを目的とする。
【０００９】
【課題を解決するための手段】
この発明に係る無線通信システムは、線路の片側に設置されている複数の中継機が、上り線側漏洩同軸ケーブルにより搬送された基地局の送信電波を増幅して、増幅後の送信電波を下り線側漏洩同軸ケーブルに出力するとともに、下り線側漏洩同軸ケーブルにより搬送された基地局の送信電波を増幅して、増幅後の送信電波を上り線側漏洩同軸ケーブルに出力するようにしたものである。
【００１０】
この発明に係る無線通信システムは、線路の片側に設置されている複数の中継機が、上り線側漏洩同軸ケーブルにより搬送された移動局の送信電波を増幅して、増幅後の送信電波を下り線側漏洩同軸ケーブルに出力するとともに、下り線側漏洩同軸ケーブルにより搬送された移動局の送信電波を増幅して、増幅後の送信電波を上り線側漏洩同軸ケーブルに出力するようにしたものである。
【００１１】
この発明に係る無線通信システムは、複数の中継機のうち、一部の中継機のみが漏洩同軸ケーブルの接続対象が入れ換えられて、上り線側漏洩同軸ケーブルにより搬送された電波を増幅して、増幅後の電波を下り線側漏洩同軸ケーブルに出力するとともに、下り線側漏洩同軸ケーブルにより搬送された電波を増幅して、増幅後の電波を上り線側漏洩同軸ケーブルに出力し、残りの中継機は上り線側漏洩同軸ケーブルにより搬送された電波を増幅して、増幅後の電波を上り線側漏洩同軸ケーブルに出力するとともに、下り線側漏洩同軸ケーブルにより搬送された電波を増幅して、増幅後の電波を下り線側漏洩同軸ケーブルに出力するようにしたものである。
【００１２】
【発明の実施の形態】
以下、この発明の実施の一形態を説明する。
実施の形態１．
図１はこの発明の実施の形態１による無線通信システムを示す構成図であり、図において、１１は線路の両側に布設され、基地局１２の送信電波及び移動局１３の送信電波を搬送する漏洩同軸ケーブル（以下、ＬＣＸという）である。なお、線路の上り線側に布設されるＬＣＸ１１が上り線側漏洩同軸ケーブルに相当し、線路の下り線側に布設されるＬＣＸ１１が下り線側漏洩同軸ケーブルに相当する。
１２は通信データを変調して電波をＬＣＸ１１に出力する一方、ＬＣＸ１１により搬送された電波をダイバーシティ受信する基地局、１３は新幹線車両に搭載され、通信データを変調して電波をＬＣＸ１１に向けて発信するとともに、ＬＣＸ１１から漏れ出た電波をダイバーシティ受信する移動局、１４は線路の片側に設置され（図１の例では、下り線側に設置されているが、上り線側でもよい）、ＬＣＸ１１が搬送する電波を増幅する中継機であり、中継機１４はＬＣＸ１１の接続対象を入れ換えて、上り線のＬＣＸ１１と下り線のＬＣＸ１１を接続する。
【００１３】
次に動作について説明する。
まず、基地局１２が移動局１３にデータや音声に係る情報（以下、通信データという）を送信する場合、基地局１２は、その通信データを変調して電波をＬＣＸ１１に出力する。
これにより、上り線のＬＣＸ１１と下り線のＬＣＸ１１が基地局１２の送信電波をそれぞれ中継機１４まで搬送する。
【００１４】
中継機１４は、上り線のＬＣＸ１１と下り線のＬＣＸ１１の長さを等しくする観点から、ＬＣＸ１１の接続対象を入れ換えているため、上り線のＬＣＸ１１により搬送された基地局１２の送信電波を増幅して、下り線のＬＣＸ１１に出力し、下り線のＬＣＸ１１により搬送された基地局１２の送信電波を増幅して、上り線のＬＣＸ１１に出力する。
移動局１３は、上り線のＬＣＸ１１から漏れ出た電波と、下り線のＬＣＸ１１から漏れ出た電波をダイバーシティ受信して、通信データを復調する。
【００１５】
次に、移動局１３が基地局１２に通信データを送信する場合、移動局１３は、その通信データを変調して電波をＬＣＸ１１に向けて発信する。
これにより、上り線のＬＣＸ１１と下り線のＬＣＸ１１が移動局１３の送信電波をそれぞれ中継機１４まで搬送する。
【００１６】
中継機１４は、ＬＣＸ１１の接続対象を入れ換えているため、上り線のＬＣＸ１１により搬送された移動局１３の送信電波を増幅して、下り線のＬＣＸ１１に出力し、下り線のＬＣＸ１１により搬送された移動局１３の送信電波を増幅して、上り線のＬＣＸ１１に出力する。
基地局１２は、上り線のＬＣＸ１１により搬送された電波と、下り線のＬＣＸ１１により搬送された電波をダイバーシティ受信して、通信データを復調する。
【００１７】
以上で明らかなように、この実施の形態１によれば、中継機１４がＬＣＸ１１の接続対象を入れ換えて、上り線のＬＣＸ１１と下り線のＬＣＸ１１を接続するように構成したので、中継機１４が線路の片側に設置されることに伴う電波の遅延差が少なくなり、その結果、ダイバーシティ受信後のビットエラーを抑制することができる効果を奏する。
【００１８】
実施の形態２．
上記実施の形態１では、全ての中継機１４がＬＣＸ１１の接続対象を入れ換えるものについて示したが、一部の中継機１４のみがＬＣＸ１１の接続対象を入れ換えるようにしてもよい。例えば、ＬＣＸ１１の接続対象を入れ換える中継機１４と、ＬＣＸ１１の接続対象を入れ換えない中継機１４を１：２の割合で構成するようにしてもよい。
この場合、上記実施の形態１よりも、電波の遅延差が若干多くなるが、中継機１４を設置する際の工事が容易になる効果を奏する。
【００１９】
【発明の効果】
以上のように、この発明によれば、線路の片側に設置されている複数の中継機が、上り線側漏洩同軸ケーブルにより搬送された基地局の送信電波を増幅して、増幅後の送信電波を下り線側漏洩同軸ケーブルに出力するとともに、下り線側漏洩同軸ケーブルにより搬送された基地局の送信電波を増幅して、増幅後の送信電波を上り線側漏洩同軸ケーブルに出力するように構成したので、中継機が線路の片側に設置されることに伴う電波の遅延差が少なくなり、その結果、ダイバーシティ受信後のビットエラーを抑制することができる効果がある。
【００２０】
この発明によれば、線路の片側に設置されている複数の中継機が、上り線側漏洩同軸ケーブルにより搬送された移動局の送信電波を増幅して、増幅後の送信電波を下り線側漏洩同軸ケーブルに出力するとともに、下り線側漏洩同軸ケーブルにより搬送された移動局の送信電波を増幅して、増幅後の送信電波を上り線側漏洩同軸ケーブルに出力するように構成したので、中継機が線路の片側に設置されることに伴う電波の遅延差が少なくなり、その結果、ダイバーシティ受信後のビットエラーを抑制することができる効果がある。
【００２１】
この発明によれば、複数の中継機のうち、一部の中継機のみが漏洩同軸ケーブルの接続対象が入れ換えられて、上り線側漏洩同軸ケーブルにより搬送された電波を増幅して、増幅後の電波を下り線側漏洩同軸ケーブルに出力するとともに、下り線側漏洩同軸ケーブルにより搬送された電波を増幅して、増幅後の電波を上り線側漏洩同軸ケーブルに出力し、残りの中継機は上り線側漏洩同軸ケーブルにより搬送された電波を増幅して、増幅後の電波を上り線側漏洩同軸ケーブルに出力するとともに、下り線側漏洩同軸ケーブルにより搬送された電波を増幅して、増幅後の電波を下り線側漏洩同軸ケーブルに出力するように構成したので、中継機を設置する際の工事が容易になる効果がある。
【図面の簡単な説明】
【図１】  この発明の実施の形態１による無線通信システムを示す構成図である。
【図２】  従来の無線通信システムを示す構成図である。
【符号の説明】
１１  ＬＣＸ（漏洩同軸ケーブル）、１２  基地局、１３  移動局、１４  中継機。
【図１】
0003877933.tif 000002
【図２】
0003877933.tif 000003